(57)【要約】本発明は、無線端末が所定の周期で間欠受信を行うことが可能な無線通信システムにおいて、非受信期間への遷移に関する非受信期間遷移情報を、無線端末に送信する送信手段と、前記無線端末が間欠受信の受信期間中に、前記非受信期間遷移情報に基づいて、間欠受信の非受信期間に遷移する間欠受信制御手段とを有する無線通信システムである。
2016152804.tif 000002
【特許請求の範囲】
【請求項１】
無線端末が所定の周期で間欠受信を行うことが可能な無線通信システムにおいて、
非受信期間への遷移に関する非受信期間遷移情報を、無線端末に送信する送信手段と、
前記無線端末が間欠受信の受信期間中に、前記非受信期間遷移情報に基づいて、間欠受信の非受信期間に遷移する間欠受信制御手段と
を有する無線通信システム。
【請求項２】
前記非受信期間遷移情報が、無線端末に送信するデータの終了に関する送信終了情報である
請求項１に記載の無線通信システム。
【請求項３】
無線端末に送信するデータを監視し、無線端末に送信するデータの終了を検出する検出手段を
有する請求項２に記載の無線通信システム。
【請求項４】
前記間欠受信の受信期間がＯｎ−Ｄｕｒａｔｉｏｎ、又、Ａｃｔｉｖｅ  Ｔｉｍｅであり、前記間欠受信の非受信期間がＯｐｐｏｒｔｕｎｉｔｙ  ｆｏｒ  ＤＲＸである
請求項１から請求項３のいずれかに記載の無線通信システム。
【請求項５】
前記無線端末が、マシンタイプコミュニケーション（ＭＴＣ）端末である
請求項１から請求項４のいずれかに記載の無線通信システム。
【請求項６】
無線端末が所定の周期で間欠受信を行うことが可能な通信システムにおける無線ネットワークであって、
非受信期間への遷移に関する非受信期間遷移情報を、無線端末に送信する送信手段
を有する無線通信ネットワーク。
【請求項７】
前記非受信期間遷移情報が、無線端末に送信するデータの終了に関する送信終了情報である
請求項６に記載の無線通信ネットワーク。
【請求項８】
無線端末に送信するデータを監視し、無線端末に送信するデータの終了を検出する検出手段を
有する請求項７に記載の無線通信ネットワーク。
【請求項９】
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
請求項６から請求項８いずれかに記載の無線通信ネットワーク。
【請求項１０】
前記無線端末が、マシンタイプコミュニケーション（ＭＴＣ）端末である
請求項６から請求項９のいずれかに記載の無線通信ネットワーク。
【請求項１１】
データの間欠受信を行う無線端末であって、
非受信期間への遷移に関する非受信期間遷移情報を受信する受信手段と、
間欠受信の受信期間中に、前記非受信期間遷移情報に基づいて、間欠受信の非受信期間に遷移する間欠受信制御手段と
を有する無線端末。
【請求項１２】
前記非受信期間遷移情報が、無線端末に送信するデータの終了に関する送信終了情報である
請求項１１に記載の無線端末。
【請求項１３】
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
請求項１１又は請求項１２に記載の無線端末。
【請求項１４】
前記無線端末が、マシンタイプコミュニケーション（ＭＴＣ）端末である
請求項１１から請求項１３のいずれかに記載の無線端末。
【請求項１５】
無線端末が所定の周期で間欠受信を行うことが可能な無線通信方法において、
非受信期間への遷移に関する非受信期間遷移情報を、無線ネットワーク側から無線端末に送信し、
前記無線端末は、間欠受信の受信期間中に、前記非受信期間遷移情報に基づいて、間欠受信の非受信期間に遷移する
無線通信方法。
【請求項１６】
前記非受信期間遷移情報が、無線端末に送信するデータの終了に関する送信終了情報である
請求項１５に記載の無線通信方法。
【請求項１７】
無線端末に送信するデータを監視し、無線端末に送信するデータの終了を検出する
請求項１５又は請求項１６に記載の無線通信方法。
【請求項１８】
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
請求項１５から請求項１７のいずれかに記載の無線通信方法。
【請求項１９】
前記無線端末が、マシンタイプコミュニケーション（ＭＴＣ）端末である
請求項１５から請求項１８のいずれかに記載の無線通信方法。
【発明の詳細な説明】
【技術分野】
【０００１】
本発明は、無線通信システム、無線通信ネットワーク、無線端末及び無線通信方法に関する。
【背景技術】
【０００２】
次世代のセルラシステムの１つである３ＧＰＰ  ＬＴＥ（Ｌｏｎｇ  Ｔｅｒｍ  Ｅｖｏｌｕｔｉｏｎ）では、無線端末の消費電力の削減のため、無線端末の間欠受信（ＤＲＸ：Ｄｉｓｃｏｎｔｉｎｕｏｕｓ  Ｒｅｃｅｐｔｉｏｎ）の機能がサポートされている（非特許文献１、２）。ＬＴＥでは、ＤＲＸ  ｃｙｃｌｅと呼ばれる受信期間（Ｏｎ−Ｄｕｒａｔｉｏｎ）とそれに続く非受信期間（Ｏｐｐｏｒｔｕｎｉｔｙ  ｆｏｒ  ＤＲＸ）とから構成される期間が定義され、これらの期間を繰り返すことでＤＲＸを実現する。【０００３】
無線端末は、Ｏｎ−ｄｕｒａｔｉｏｎでは下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を常に受信する必要があり、Ｏｐｐｏｒｔｕｎｉｔｙ  ｆｏｒ  ＤＲＸではＰＤＣＣＨを受信しなくてよい。なお、無線端末がＯｎ−Ｄｕｒａｔｉｏｎ期間中にデータ受信に失敗し、Ｏｎ−Ｄｕｒａｔｉｏｎ期間以降に当該データが再送される場合には、ＰＤＣＣＨを受信する期間を延長する。【０００４】
ここで、ＤＲＸ動作中の無線端末がＰＤＣＣＨを受信する期間をＡｃｔｉｖｅ  Ｔｉｍｅと呼び、Ｏｎ−ＤｕｒａｔｉｏｎはＡｃｔｉｖｅ  Ｔｉｍｅの最小値である。さらに無線端末毎に、Ｏｐｐｏｒｔｕｎｉｔｙ  ｆｏｒ  ＤＲＸの長さが異なる「ＳｈｏｒｔＤＲＸ」と「ＬｏｎｇＤＲＸ」という２つのＤＲＸ状態（レベル）が設定可能である。ＬＴＥでは、ＳｈｏｒｔＤＲＸ状態の無線端末が一定期間データ受信を行わなかった場合、ＬｏｎｇＤＲＸ状態に遷移するＤＲＸ状態制御（ＤＲＸ  ｓｔａｔｅ  ｃｏｎｔｒｏｌ）を行う。また、ＳｈｏｒｔＤＲＸからＬｏｎｇＤＲＸに状態遷移する判定に、タイマー（ｄｒｘＳｈｏｒｔＣｙｃｌｅＴｉｍｅｒ）を用いる。これにより、無線端末のデータ受信頻度に適したＤＲＸ状態（レベル）を設定でき、無線端末の消費電力の削減が可能になる。【０００５】
ところで、通信ネットワークの利用は、スマートフォンやＰＣ（Ｐｅｒｓｏｎａｌ  Ｃｏｍｐｕｔｅｒ）のような人が直接利用する端末以外にも、メーター、自動販売機、電子広告など人が直接通信に利用するもの以外の端末にも広がりを見せている。このような人が直接利用しない通信のことをＭＴＣ（Ｍａｃｈｉｎｅ  Ｔｙｐｅ  Ｃｏｍｍｕｎｉｃａｔｉｏｎ）と呼び、人が直接通信手段として利用しない端末のことをＭＴＣ端末と呼ぶ。ＭＴＣの場合、ＭＴＣ端末が必要な通信頻度は、通常の端末に比較して低く(例えば１日１回、週１回、月１回、など)、一度の通信で送受信されるデータ量も多くないことが考えられる。一方で、ＭＴＣ端末は、頻繁に、電源の交換や充電ができない可能性が高く、ＭＴＣ端末には非常に低い消費電力が求められることが予想される。
【先行技術文献】
【非特許文献】
【０００６】
【非特許文献１】３ＧＰＰ  ＴＳ３６．３００ｖ９００（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献２】３ＧＰＰ  ＴＳ３６．３２１ｖ８６０（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３２１．ｈｔｍ）
【発明の概要】
【発明が解決しようとする課題】
【０００７】
しかしながら、消費電力を低減するために、単純にＤＲＸの周期を長くした場合、端末は通信ネットワークから送信されるシステム情報、ページング情報を、受信し損ねる可能性があった。【０００８】
一方、ＤＲＸの周期を短くすれば、消費電力の増加につながってしまう。【０００９】
そこで、無線端末が無線ネットワーク（基地局）からの情報を適切に受信する機会を確保しつつ、無線端末の消費電力を低減することができる無線通信システム、無線通信ネットワーク、無線端末及び無線通信方法を提供することにある。
【課題を解決するための手段】
【００１０】
本発明の一態様は、無線端末が所定の周期で間欠受信を行うことが可能な無線通信システムにおいて、非受信期間への遷移に関する非受信期間遷移情報を、無線端末に送信する送信手段と、前記無線端末が間欠受信の受信期間中に、前記非受信期間遷移情報に基づいて、間欠受信の非受信期間に遷移する間欠受信制御手段とを有する無線通信システムである。【００１１】
本発明の一態様は、無線端末が所定の周期で間欠受信を行うことが可能な通信システムにおける無線ネットワークであって、非受信期間への遷移に関する非受信期間遷移情報を、無線端末に送信する送信手段を有する無線通信ネットワークである。【００１２】
本発明の一態様は、データの間欠受信を行う無線端末であって、非受信期間への遷移に関する非受信期間遷移情報を受信する受信手段と、間欠受信の受信期間中に、前記非受信期間遷移情報に基づいて、間欠受信の非受信期間に遷移する間欠受信制御手段とを有する無線端末である。【００１３】
本発明の一態様は、無線端末が所定の周期で間欠受信を行うことが可能な無線通信方法において、非受信期間への遷移に関する非受信期間遷移情報を、無線ネットワーク側から無線端末に送信し、前記無線端末は、間欠受信の受信期間中に、前記非受信期間遷移情報に基づいて、間欠受信の非受信期間に遷移する無線通信方法である。
【発明の効果】
【００１４】
本発明によれば、無線端末が無線ネットワーク（基地局）からの情報を適切に受信する機会を確保しつつ、端末の消費電力を低減することができる。
【図面の簡単な説明】
【００１５】
【図１】図１は本発明の概要を説明するためのブロック図である。
【図２】図２は、非受信期間遷移情報を受信した直後に受信期間から非受信期間に遷移している場合の例を示す図である。
【図３】図３は本発明の実施の形態の無線通信システムの概略構成の例を示す図である。
【図４】図４は本実施の形態の無線端末（ＵＥ）１０のブロック図である。
【図５】図５は本実施の形態の無線基地局（ｅＮＢ）２０のブロック図である。
【図６】図６は本実施の形態のネットワーク管理装置３０のブロック図である。
【図７】図７は本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【図８】図８は本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【図９】図９は本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【図１０】図１０はＵＥ１０に送信する送信データの送信の完了を示すＬａｓｔ  ｄａｔａ  Ｉｎｄｉｃａｔｉｏｎ（送信終了情報）の送信から受信後の動作を説明するための図である。
【図１１】図１１はＵＥ１０における送信データの送信の完了を示すＬａｓｔ  ｄａｔａ  Ｉｎｄｉｃａｔｉｏｎ（送信終了情報）の受信時の動作を説明するための図である。
【図１２】図１２はＵＥ１０における送信データの送信の完了を示すＬａｓｔ  ｄａｔａ  Ｉｎｄｉｃａｔｉｏｎ（送信終了情報）の受信時の動作を説明するための図である。
【図１３】図１３は本実施の形態の無線通信システムにおける無線端末（ＵＥ）１の他の態様を示す図である。
【図１４】図１４は本実施の形態の無線通信システムにおける基地局や無線ネットワークの他の態様を示す図である。
【発明を実施するための形態】
【００１６】
本発明の概要を説明する。図１は本発明の概要を説明するためのブロック図である。
【００１７】
本発明は、無線端末１が所定の周期で間欠受信を行うことが可能な無線通信システムにおいて、非受信期間への遷移に関する非受信期間遷移情報を、無線端末１に送信する送信部２と、無線端末１が間欠受信の受信期間中に、前記非受信期間遷移情報に基づいて、間欠受信の非受信期間に遷移する間欠受信制御部３とを有する無線通信システムである。尚、通常、送信部２は無線通信ネットワーク４側に設けられ、間欠受信制御部３は無線端末１に設けられる。
【００１８】
ここで、無線端末１はその種類を限るものではないが、例えば、スマートフォンやＰＣのみならず、ＭＴＣ（Ｍａｃｈｉｎｅ  Ｔｙｐｅ  Ｃｏｍｍｕｎｉｃａｔｉｏｎ）端末も含まれる。特に、ＭＴＣ端末は、省電力を要求されることから、本発明は有効である。
【００１９】
また、無線端末の間欠受信としては、３ＧＰＰ  ＬＴＥ（Ｌｏｎｇ  Ｔｅｒｍ  Ｅｖｏｌｕｔｉｏｎ）におけるＤＲＸ：Ｄｉｓｃｏｎｔｉｎｕｏｕｓ  Ｒｅｃｅｐｔｉｏｎ）等かあり、データの受信期間としては、Ｏｎ−ＤｕｒａｔｉｏｎやＡｃｔｉｖｅ  Ｔｉｍｅがある。また、データの非受信期間としては、Ｏｐｐｏｒｔｕｎｉｔｙ  ｆｏｒ  ＤＲＸがある。但し、これらの間欠受信には限られない。
【００２０】
次に、送信部２について説明する。
【００２１】
送信部２は、非受信期間への遷移に関する非受信期間遷移情報を、無線端末１に送信する。この非受信期間遷移情報は、無線端末１が間欠受信の受信期間から非受信期間への遷移するための目安となるものであって、例えば、受信期間から非受信期間への遷移命令、無線端末１に送信するデータの終了に関する送信終了情報などがある。
【００２２】
送信終了情報は、例えば、直接的にデータの終了を示す送信終了情報や、間接的にデータの終了を示す終了情報等がある。間接的にデータの終了を示す送信終了情報には、送信するデータサイズ情報や、データの送信完了までの予想送信時間情報等がある。
【００２３】
続いて、非受信期間遷移情報を無線端末１に送信する送信方法であるが、以下の方法が考えられる。
（１）無線端末１に送信する送信データに、非受信期間遷移情報を含めて送信する方法。
（２）無線端末１に送信する送信データとは別に、非受信期間遷移情報をメッセージとして送信する方法。
【００２４】
本発明では、いずれの方法であっても良い。
【００２５】
また、無線端末１に送信する非受信期間遷移情報の作成する方法には、以下のものが考えられる。
（１）非受信期間遷移情報が、非受信期間への遷移命令や、直接的にデータの終了を示す終了情報等である場合
送信部２が基地局にある場合には、基地局の送信バッファに無線端末１に送信する送信データがなくなった時点で、送信データが終了である判断して遷移命令や送信終了情報を生成して送信する。また、送信部２がコアネットワーク側にある場合には、コアネットワーク側エンティティでは上位レイヤの監視も可能であるので、無線端末１に送信する送信データの送信が完了した時点で、コアネットアーク側から送信データ完了信号、若しくは、送信終了情報を基地局に送信してもらい、基地局が遷移命令や送信終了情報を無線端末１に送信する方法がある。
（２）非受信期間遷移情報が、間接的にデータの終了を示す終了情報等である場合
非受信期間遷移情報が、データサイズ情報や、データの送信完了までの予想送信時間情報等である場合、無線通信ネットワーク（基地局やコアネットアーク側）において、無線端末１に送信する全データサイズを計算して非受信期間遷移情報を生成する。また、予想送信時間情報の場合は、基地局やコアネットアーク側において、無線端末１との間の通信品質を考慮し、無線端末１に送信する全データを送信完了するまでの送信時間を予測して作成する。
【００２６】
尚、ここでいう送信データは、所定の情報を無線端末１に送信するために、無線端末１に送信する全ての送信データでも良いが、ある所定の期間内に、無線端末１に送信する全ての送信データでも良い。
【００２７】
次に、間欠受信制御部３について説明する。
【００２８】
無線端末１では、間欠受信でデータを受信している。間欠受信における受信期間は一定の期間が与えられ、その受信期間中にデータの受信が完了しても、その受信期間中、無線端末１はデータを受信可能な状態にある。しかし、本発明では、間欠受信制御部３は、間欠受信における受信期間中に、非受信期間遷移情報に基づいて、その受信期間に残余期間がある場合でも、間欠受信のデータ受信をやめ、非受信期間、すなわちスリープ状態に、通信処理を制御する。
【００２９】
受信期間から非受信期間への遷移の方法としては、以下の方法がある。
（１）非受信期間遷移情報が、非受信期間への遷移命令や、直接的にデータの終了を示す終了情報等である場合
非受信期間遷移情報を受信した場合、所定のタイミング、例えば、受信後に復号に成功した場合はそのタイミングで、受信期間から非受信期間に遷移する。図２は、非受信期間遷移情報を受信した直後に受信期間から非受信期間に遷移している場合の例を示す図である。
（２）非受信期間遷移情報が、間接的にデータの終了を示す終了情報等である場合
非受信期間遷移情報がデータサイズ情報である場合は、無線端末１で受信データサイズのカウント処理を行い、必要なデータサイズに達した場合、受信期間から非受信期間に遷移する。また、非受信期間遷移情報が予想送信時間情報の場合は、無線端末１側で受信時間のカウントするため、データの受信時間を計測するタイマーを設け、タイマーの起動及び終了の管理や、通信品質による受信時間のバラツキの保証する計算を行い、それらの条件が満足した場合、受信期間から非受信期間に遷移する。
【００３０】
このようにすることにより、従来に比べて、更に、無線端末の省電力を図ることができる。特に、予め定められた受信期間（例えば、Ｏｎ−Ｄｕｒａｔｉｏｎ）で受信できるデータ量に比べてデータ量が小さいデータを受信する機会が多いＭＴＣ端末には有効であり、消費電力を抑えることができる。
【００３１】
次に、本発明の実施の形態について図面を参照して詳細に説明する。なお、以下の実施の形態では無線通信システム（セルラシステム）として「３ＧＰＰ  ＬＴＥ（Ｌｏｎｇ  Ｔｅｒｍ  Ｅｖｏｌｕｔｉｏｎ）」を想定する。尚、以下の説明では、非受信期間遷移情報として、送信データの終了を示すＬａｓｔ  ｄａｔａ  Ｉｎｄｉｃａｔｉｏｎ（送信終了情報）を例にして説明する。
【００３２】
図３は、本発明の実施の形態の無線通信システムの概略構成の例を示す図である。
【００３３】
本実施の形態の無線通信システムは、無線端末（ＵＥ：Ｕｓｅｒ  Ｅｑｕｉｐｍｅｎｔ）ＵＥ１０と、無線基地局（ｅＮＢ：ｅｖｏｌｖｅｄ  ＮｏｄｅＢ）ｅＮＢ２０と、ネットワーク管理装置３０とを含む。
【００３４】
図４は本実施の形態の無線端末（ＵＥ）１０のブロック図である。
【００３５】
図４において、ＵＥ１０は、受信器１１と、送信器１２と、信号処理部１３と、通信制御部１４とから構成される。
【００３６】
受信器１１、送信器１２では、それぞれｅＮＢ２０との間で無線信号の受信・送信を行う部分である。信号処理部１３は、ある情報をｅＮＢ２０へ送信するための無線信号の生成を行ったり、受信した無線信号から元の情報の復元を行ったりする部分である。通信制御部１４は、信号処理部１３への送信信号生成や情報復元などの指示を行う部分で、ＵＥのＤＲＸ制御もこの通信制御部１４で管理され、上述した間欠受信制御部３に対応する。
【００３７】
図５は本実施の形態の無線基地局（ｅＮＢ）２０のブロック図である。
【００３８】
図５において、ｅＮＢ２０は、受信器２１と、送信器２２と、信号処理部２３と、通信制御部２４と、端末管理部２５とから構成される。受信器２１、送信器２２、信号処理部２３、通信制御部２４については、基本的にＵＥ１０の場合と同様の機能を有する。また、通信制御部２４は、ネットワーク管理装置３０からのＬａｓｔ  ｄａｔａ  Ｉｎｄｉｃａｔｉｏｎ（送信終了情報）を受信し、ＵＥ１０に転送する機能も有する。端末管理部２５では、複数のＵＥそれぞれに対して個別に管理を行っている。
【００３９】
図６は本実施の形態のネットワーク管理装置３０のブロック図である。
【００４０】
ネットワーク管理装置３０は、無線基地局（ｅＮＢ）２０からの信号を受信する受信部３１と、ｅＮＢ２０へ信号を送信する送信部３２と、ＵＥ１０に送信するデータを管理する送信データ管理部３３とから構成される。送信データ管理部３３は、ＵＥ１０に送信するデータを管理し、ＵＥ１０に送信する送信データの送信が完了した時点で、ｅＮＢ２０に、Ｌａｓｔ  ｄａｔａ  Ｉｎｄｉｃａｔｉｏｎ（送信終了情報）を送信する機能を有する。
【００４１】
次に、本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を説明する。
【００４２】
図７から図９は、本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【００４３】
まず、図７に示すように、間欠受信の周期であるＤＲＸ  ｃｙｃｌｅは、下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を連続受信しなくてはいけない期間（Ｏｎ−Ｄｕｒａｔｉｏｎ）と、ＰＤＣＣＨを受信しなくてもよい期間（Ｏｐｐｏｒｔｕｎｉｔｙ  ｆｏｒ  ＤＲＸ）とから構成される。なお、前者はＷａｋｅ  ｕｐ期間（Ａｃｔｉｖｅ  Ｔｉｍｅ）、後者はＳｌｅｅｐ期間とも呼ばれる。また、後者は、ＰＤＣＣＨを受信しない期間、あるいはＰＤＣＣＨを受信してはいけない期間、であってもよい。
【００４４】
なお、データはＰＤＳＣＨ（Ｐｈｙｓｉｃａｌ  Ｄｏｗｎｌｉｎｋ  Ｓｈａｒｅｄ  Ｃｈａｎｎｅｌ）で送信され、ＰＤＣＣＨにＰＤＳＣＨのスケジューリング情報が含まれている。従って、ＰＤＣＣＨを受信してスケジューリング情報を検出後、それにより指定されたデータを受信することができる。
【００４５】
ＤＲＸ  ｃｙｃｌｅには、ＳｈｏｒｔＤＲＸとＬｏｎｇＤＲＸの２通りがある。ＳｈｏｒｔＤＲＸとＬｏｎｇＤＲＸは、Ｏｎ−Ｄｕｒａｔｉｏｎは同じで、Ｏｎ−Ｄｕｒａｔｉｏｎ以外のＰＤＣＣＨを受信しなくてもよい期間の長さが異なり、ＳｈｏｒｔＤＲＸの方がＯｎ−Ｄｕｒａｔｉｏｎの間隔が短く設定される。なお、ＬＴＥではＬｏｎｇＤＲＸはＳｈｏｒｔＤＲＸの整数倍という制約がある。Ｏｎ−Ｄｕｒａｔｉｏｎ、ＤＲＸ  ｃｙｃｌｅの長さは、例えば、Ｏｎ−Ｄｕｒａｔｉｏｎは、１ｍｓから２００ｍｓまでの間で十数通り設定が可能で、ＤＲＸ  ｃｙｃｌｅは、２ｍｓ（ＳｈｏｒｔＤＲＸ最小）から２５６０ｍｓ（ＬｏｎｇＤＲＸ最大）まで、ＳｈｏｒｔＤＲＸとＬｏｎｇＤＲＸでそれぞれ十数通りの設定が可能である。
【００４６】
ここで、上述の例のほかに、Ｏｎ−Ｄｕｒａｔｉｏｎと同様に、周期的に無線端末が起きる期間において、ＰＤＣＣＨのような下り制御チャネルではなく、ＬＴＥのＰＤＳＣＨ（Ｐｈｙｓｉｃａｌ  Ｄｏｗｎｌｉｎｋ  Ｓｈａｒｅｄ  Ｃｈａｎｎｅｌ）のような下りデータチャネルを受信するような場合も考えられる。例えば、ＬＴＥの継続的リソース割り当て（Ｓｅｍｉ−ｐｅｒｓｉｓｔｅｎｔ  ｓｃｈｅｄｕｌｉｎｇ）のように、初回送信時は特にＰＤＣＣＨを使用せずに予め決まった無線リソースのＰＤＳＣＨを受信する場合が、その一例である。
【００４７】
基本的に、ＤＲＸは図８に示すように複数のタイマーに基づいて制御され、各タイマーはそれぞれ以下のように定義されている（非特許文献２）。
【００４８】
・ｄｒｘ−ＩｎａｃｔｉｖｉｔｙＴｉｍｅｒ：  ＵＬ（Ｕｐｌｉｎｋ）あるいはＤＬ（Ｄｏｗｎｌｉｎｋ）のユーザデータのスケジューリングを示すＰＤＣＣＨを正しく復号した後の連続するサブフレーム（ＰＤＣＣＨサブフレーム）の数
・ＨＡＲＱ  ＲＴＴ  Ｔｉｍｅｒ：  ＤＬのＨＡＲＱ再送が行われるまでの最小サブフレーム数
・ｄｒｘ−ＲｅｔｒａｎｓｍｉｓｓｉｏｎＴｉｍｅｒ：  ＵＥがＳｈｏｒｔＤＲＸ  ｃｙｃｌｅに滞在しなくてはいけない連続サブフレーム数
それぞれのタイマーの長さは、例えば、ｄｒｘ−ＩｎａｃｔｉｖｉｔｙＴｉｍｅｒは、１ｍｓから２５６０ｍｓまでの間で約２０通りの設定が可能であり、ｄｒｘ−ＲｅｔｒａｎｓｍｉｓｓｉｏｎＴｉｍｅｒは、１ｍｓから３３ｍｓまでの間で数通りの設定が可能である。ＨＡＲＱ  ＲＴＴ  Ｔｉｍｅｒは、ＦＤＤ（Ｆｒｅｑｕｅｎｃｙ  Ｄｉｖｉｓｉｏｎ  Ｄｕｐｌｅｘ）のシステムでは、８ｍｓとなっている。
【００４９】
これらタイマーを用いたＤＲＸ制御について図８を用いて説明する。
【００５０】
まず、ＵＥ１０はＯｎ−Ｄｕｒａｔｉｏｎ中に新規ＤＬデータを受信するとｄｒｘ−ＩｎａｃｔｉｖｉｔｙＴｉｍｅｒをスタート（リスタート）させる。また同時に、ＨＡＲＱ  ＲＴＴ  Ｔｉｍｅｒをスタートさせる。ＤＬデータを正しく復号できなかった場合、ＨＡＲＱ  ＲＴＴ  Ｔｉｍｅｒが切れると同時にｄｒｘ−ＲｅｔｒａｎｓｍｉｓｓｉｏｎＴｉｍｅｒをスタートさせる（基本的にｄｒｘ−ＲｅｔｒａｎｓｍｉｓｓｉｏｎＴｉｍｅｒが切れる前にＤＬデータの再送が行われる）。ＵＥ１０は、ＤＬデータの再送を受け、正しく復号できた場合ｄｒｘ−ＲｅｔｒａｎｓｍｉｓｓｉｏｎＴｉｍｅｒをストップする。そして、ｄｒｘ−ＩｎａｃｔｉｖｉｔｙＴｉｍｅｒが切れると同時にＰＤＣＣＨを受信しなくてもよい期間（Ｏｐｐｏｒｔｕｎｉｔｙ  ｆｏｒ  ＤＲＸ）へと移る。
【００５１】
ここで、図８では、ｄｒｘ−ＲｅｔｒａｎｓｍｉｓｓｉｏｎＴｉｍｅｒがＯｎ−Ｄｕｒａｔｉｏｎの期間を超えて動作し、Ｏｎ−Ｄｕｒａｔｉｏｎを超えてＵＥがＰＤＣＣＨを連続受信している。この、ＰＤＣＣＨを連続受信している期間はＡｃｔｉｖｅ  Ｔｉｍｅと呼ばれ、Ｏｎ−ＤｕｒａｔｉｏｎはＡｃｔｉｖｅ  Ｔｉｍｅの最小値に相当する。また、再送されたＤＬデータが正しく復号できた場合、ｄｒｘ−Ｒｅｔｒａｎｓｍｉｓｓｉｏｎ  Ｔｉｍｅｒを止めたが、止めずに動かしつづけてもよい。この場合、ｄｒｘ−ＲｅｔｒａｎｓｍｉｓｓｉｏｎＴｉｍｅｒかｄｒｘＩｎａｃｔｉｖｉｔｙＴｉｍｅｒのいずれかが動いている場合にはＡｃｔｉｖｅ  Ｔｉｍｅを延長し、両方のタイマーが切れた時点で、ＰＤＣＣＨを受信しなくてもよい期間に移る。このように、ＵＥはＤＲＸ  ｃｙｃｌｅ毎にＡｃｔｉｖｅ  Ｔｉｍｅを延長するかどうかを判定し、遅延なくＤＬデータを受信できるように動作する。
【００５２】
次に、ＤＲＸ状態（ＤＲＸレベル）制御について図９を用いて説明する。
【００５３】
前述の通り、ＤＲＸにはＳｈｏｒｔＤＲＸとＬｏｎｇＤＲＸと呼ばれる２つのＤＲＸ状態がある。基本的に、まずＳｈｏｒｔＤＲＸからスタートし、一定期間経つとＬｏｎｇＤＲＸへと遷移する。このＳｈｏｒｔＤＲＸからＬｏｎｇＤＲＸへの遷移の判定に用いられるのが、ｄｒｘＳｈｏｒｔＣｙｃｌｅＴｉｍｅｒであり、以下のように定義されている（非特許文献２）。
【００５４】
・ｄｒｘＳｈｏｒｔＣｙｃｌｅＴｉｍｅｒ：  ＵＥがＳｈｏｒｔＤＲＸ  ｃｙｃｌｅに滞在すべき連続サブフレーム数
図９は、ＵＥがＳｈｏｒｔＤＲＸ中にＤＬデータ受信を行い、ある時点で正しく復号できた場合の様子である。ＵＥは、ＤＬデータを正しく復号できた時点で、ｄｒｘＳｈｏｒｔＣｙｃｌＴｉｍｅｒをスタート（リスタート）させる。ＵＥは、ｄｒｘＳｈｏｒｔＣｙｃｌｅＴｉｍｅｒの動作中に新規データ受信を行った場合、当該データが正しく復号できた時点で再びｄｒｘＳｈｏｒｔＣｙｃｌｅＴｉｍｅｒをリスタートさせる。
【００５５】
一方、図９のようにｄｒｘＳｈｏｒｔＣｙｃｌｅＴｉｍｅｒが切れるまでに新規データ受信を行わなかった場合、ＳｈｏｒｔＤＲＸからＬｏｎｇＤＲＸへと遷移する。そして、ＬｏｎｇＤＲＸに遷移後に新規データを受信した場合、再びＬｏｎｇＤＲＸからＳｈｏｒｔＤＲＸへと遷移する。
【００５６】
通常のＤＲＸの動作時は、以上のように動作する。
【００５７】
次に、ＵＥ１０に送信する送信データの送信の完了を示すＬａｓｔ  ｄａｔａ  Ｉｎｄｉｃａｔｉｏｎ（送信終了情報）の送信から受信後の動作を説明する。
【００５８】
図１０は、ＵＥ１０に送信する送信データの送信の完了を示すＬａｓｔ  ｄａｔａ  Ｉｎｄｉｃａｔｉｏｎ（送信終了情報）の送信から受信後の動作を説明するための図であり、図１１はＵＥ１０における送信データの送信の完了を示すＬａｓｔ  ｄａｔａ  Ｉｎｄｉｃａｔｉｏｎ（送信終了情報）の受信時の動作を説明するための図である。
【００５９】
まず、ＵＥ１０とｅＮＢ２０はDRXサイクルのＯｎ−Ｄｕｒａｔｉｏｎに入る（Ｓｔｅｐ  １０）。そして、ＵＥ１０は、ｅＮＢ２０からのＰＤＣＣＨをモニタする（Ｓｔｅｐ  １１）。
【００６０】
次に、ＵＥ１０は、図１０、１１に示す如く、Ｏｎ−Ｄｕｒａｔｉｏｎ中に新規ＤＬデータを受信するとｄｒｘ−ＩｎａｃｔｉｖｉｔｙＴｉｍｅｒをスタート（リスタート）させる。また同時に、ＨＡＲＱ  ＲＴＴ  Ｔｉｍｅｒをスタートさせる（Ｓｔｅｐ  １２）。
【００６１】
一方、ネットワーク管理装置３０では、ＵＥ１０への送信データの終了を検出すると、Ｌａｓｔ  ｄａｔａ  Ｉｎｄｉｃａｔｉｏｎ（送信終了情報）をｅＮＢ２０に送信する（Ｓｔｅｐ  １３）。Ｌａｓｔ  ｄａｔａ  Ｉｎｄｉｃａｔｉｏｎ（送信終了情報）を受信したｅＮＢ２０は、ＵＥ１０に転送する（Ｓｔｅｐ  １４）。尚、Ｌａｓｔ  ｄａｔａ  Ｉｎｄｉｃａｔｉｏｎ（送信終了情報）は、単独のメッセージとしても良いし、最後のデータに含めても良い。この場合、いずかの方法であるかを予め定めておくことが好ましい。
【００６２】
ＵＥ１０は、Ｌａｓｔ  ｄａｔａ  Ｉｎｄｉｃａｔｉｏｎ（送信終了情報）を正しく復号でき受信に成功すると、図１０、１１に示す如く、ｄｒｘ−ＩｎａｃｔｉｖｉｔｙＴｉｍｅｒ及びＨＡＲＱ  ＲＴＴ  Ｔｉｍｅｒをストップし（Ｓｔｅｐ  １５）、Ｏｎ−Ｄｕｒａｔｉｏｎの残り時間にかかわらず終了させる（Ｓｔｅｐ  １６）。そして、Ｓｌｅｅｐ期間（Ｏｐｐｏｒｔｕｎｉｔｙ  ｆｏｒ  ＤＲＸ）に遷移する。尚、遷移後であるが、DRXサイクルは維持し、再び、DRXサイクルに従って、Ｏｎ−Ｄｕｒａｔｉｏｎの動作を再開する。
【００６３】
尚、データの復号に失敗した場合の例を図１２に示す。
【００６４】
基本的な動作は、上述した例と同様であるが、ＵＥ１０はＯｎ−Ｄｕｒａｔｉｏｎ中に新規ＤＬデータを受信するとｄｒｘ−ＩｎａｃｔｉｖｉｔｙＴｉｍｅｒをスタート（リスタート）させる。また同時に、ＨＡＲＱ  ＲＴＴ  Ｔｉｍｅｒをスタートさせる。ＤＬデータを正しく復号できなかった場合、ＨＡＲＱ  ＲＴＴ  Ｔｉｍｅｒが切れると同時にｄｒｘ−ＲｅｔｒａｎｓｍｉｓｓｉｏｎＴｉｍｅｒをスタートさせる。ＵＥ１０は、ＤＬデータの再送を受け、正しく復号できた場合には、ｄｒｘ−ＩｎａｃｔｉｖｉｔｙＴｉｍｅｒ及びｄｒｘ−ＲｅｔｒａｎｓｍｉｓｓｉｏｎＴｉｍｅｒをストップし、Ａｃｔｉｖｅ  Ｔｉｍｅ終了させる。そして、Ｓｌｅｅｐ期間（Ｏｐｐｏｒｔｕｎｉｔｙ  ｆｏｒ  ＤＲＸ）に遷移する。
【００６５】
このように、本実施の形態によれば、無線端末が、データ受信頻度に適したＤＲＸ状態（ＤＲＸレベル）を保ち、かつ、消費電力を削減することができる。特に、非常に低い消費電力を要求されるＭＴＣ端末には有効である。
【００６６】
尚、上述した実施の形態では、各部をハードウェアで構成したが、上述した動作の処理を情報処理装置（ＣＰＵ）に行わせるプログラムによっても構成できる。この場合、プログラムメモリに格納されているプログラムで動作するプロセッサによって、上述した実施の形態と同様の機能、動作を実現させる。
【００６７】
例えば、無線端末１では、図１３に示す如く、メモリ１００と、ＣＰＵ１０１とから構成されるコンピュータシステムによって実現可能である。この場合、メモリ１００には、上述した間欠受信制御部３に対応する処理を行うプログラムが格納されている。そして、ＣＰＵ１０１がメモリ１００に格納されているプログラムを実行することで、間欠受信制御部３の機能が実現される。
【００６８】
また、送信部２を有する基地局や無線ネットワークも同様に、図１４に示す如く、メモリ２００と、ＣＰＵ２０１とから構成されるコンピュータシステムによって実現可能である。この場合、メモリ２００には、上述した送信部２に対応する処理を行うプログラムが格納されている。そして、ＣＰＵ２０１がメモリ２００に格納されているプログラムを実行することで、送信部２の機能が実現される。
【００６９】
また、上記の実施形態の一部又は全部は、以下の付記のようにも記載されうるが、以下には限られない。
【００７０】
［付記１］
無線端末が所定の周期で間欠受信を行うことが可能な無線通信システムにおいて、
非受信期間への遷移に関する非受信期間遷移情報を、無線端末に送信する送信手段と、
前記無線端末が間欠受信の受信期間中に、前記非受信期間遷移情報に基づいて、間欠受信の非受信期間に遷移する間欠受信制御手段と
を有する無線通信システム。
【００７１】
［付記２］
前記非受信期間遷移情報が、無線端末に送信するデータの終了に関する送信終了情報である
付記１に記載の無線通信システム。
【００７２】
［付記３］
無線端末に送信するデータを監視し、無線端末に送信するデータの終了を検出する検出手段を
有する付記２に記載の無線通信システム。
【００７３】
［付記４］
前記間欠受信の受信期間がＯｎ−Ｄｕｒａｔｉｏｎ、又、Ａｃｔｉｖｅ  Ｔｉｍｅであり、前記間欠受信の非受信期間がＯｐｐｏｒｔｕｎｉｔｙ  ｆｏｒ  ＤＲＸである
付記１から付記３のいずれかに記載の無線通信システム。
【００７４】
［付記５］
前記無線端末が、マシンタイプコミュニケーション（ＭＴＣ）端末である
付記１から付記４のいずれかに記載の無線通信システム。
【００７５】
［付記６］
無線端末が所定の周期で間欠受信を行うことが可能な通信システムにおける無線ネットワークであって、
非受信期間への遷移に関する非受信期間遷移情報を、無線端末に送信する送信手段
を有する無線通信ネットワーク。
【００７６】
［付記７］
前記非受信期間遷移情報が、無線端末に送信するデータの終了に関する送信終了情報である
付記６に記載の無線通信ネットワーク。
【００７７】
［付記８］
無線端末に送信するデータを監視し、無線端末に送信するデータの終了を検出する検出手段を
有する付記７に記載の無線通信ネットワーク。
【００７８】
［付記９］
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
付記６から付記８いずれかに記載の無線通信ネットワーク。
【００７９】
［付記１０］
前記無線端末が、マシンタイプコミュニケーション（ＭＴＣ）端末である
付記６から付記９のいずれかに記載の無線通信ネットワーク。
【００８０】
［付記１１］
データの間欠受信を行う無線端末であって、
非受信期間への遷移に関する非受信期間遷移情報を受信する受信手段と、
間欠受信の受信期間中に、前記非受信期間遷移情報に基づいて、間欠受信の非受信期間に遷移する間欠受信制御手段と
を有する無線端末。
【００８１】
［付記１２］
前記非受信期間遷移情報が、無線端末に送信するデータの終了に関する送信終了情報である
付記１１に記載の無線端末。
【００８２】
［付記１３］
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
付記１１又は付記１２に記載の無線端末。
【００８３】
［付記１４］
前記無線端末が、マシンタイプコミュニケーション（ＭＴＣ）端末である
付記１１から付記１３のいずれかに記載の無線端末。
【００８４】
［付記１５］
無線端末が所定の周期で間欠受信を行うことが可能な無線通信方法において、
非受信期間への遷移に関する非受信期間遷移情報を、無線ネットワーク側から無線端末に送信し、
前記無線端末は、間欠受信の受信期間中に、前記非受信期間遷移情報に基づいて、間欠受信の非受信期間に遷移する
無線通信方法。
【００８５】
［付記１６］
前記非受信期間遷移情報が、無線端末に送信するデータの終了に関する送信終了情報である
付記１５に記載の無線通信方法。
【００８６】
［付記１７］
無線端末に送信するデータを監視し、無線端末に送信するデータの終了を検出する
付記１５又は付記１６に記載の無線通信方法。
【００８７】
［付記１８］
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
付記１５から付記１７のいずれかに記載の無線通信方法。
【００８８】
［付記１９］
前記無線端末が、マシンタイプコミュニケーション（ＭＴＣ）端末である
付記１５から付記１８のいずれかに記載の無線通信方法。
【００８９】
［付記２０］
無線端末が所定の周期で間欠受信を行うことが可能な通信システムにおける無線ネットワークであって、
メモリとプロセッサとから構成され、
前記プロセッサは、
非受信期間への遷移に関する非受信期間遷移情報を、無線端末に送信する送信処理を実行する
無線通信ネットワーク。
【００９０】
［付記２１］
前記非受信期間遷移情報が、無線端末に送信するデータの終了に関する送信終了情報である
付記２０に記載の無線通信ネットワーク。
【００９１】
［付記２２］
前記プロセッサは、
無線端末に送信するデータを監視し、無線端末に送信するデータの終了を検出する検出処理を実行する
付記２１に記載の無線通信ネットワーク。
【００９２】
［付記２３］
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
付記２０から付記２２いずれかに記載の無線通信ネットワーク。
【００９３】
［付記２４］
前記無線端末が、マシンタイプコミュニケーション（ＭＴＣ）端末である
付記２０から付記２３のいずれかに記載の無線通信ネットワーク。
【００９４】
［付記２５］
データの間欠受信を行う無線端末であって、
メモリとプロセッサとから構成され、
前記プロセッサは、
非受信期間への遷移に関する非受信期間遷移情報を受信する受信処理と、
間欠受信の受信期間中に、前記非受信期間遷移情報に基づいて、間欠受信の非受信期間に遷移する間欠受信制御処理と
を実行する無線端末。
【００９５】
［付記２６］
前記非受信期間遷移情報が、無線端末に送信するデータの終了に関する送信終了情報である
付記２５に記載の無線端末。
【００９６】
［付記２７］
前記間欠受信の受信期間がＯｎ−Ｄｕｒａｔｉｏｎ又、Ａｃｔｉｖｅ  Ｔｉｍｅであり、前記間欠受信の非受信期間がＯｐｐｏｒｔｕｎｉｔｙ  ｆｏｒ  ＤＲＸである
付記２５又は付記２６に記載の無線端末。
【００９７】
［付記２８］
前記無線端末が、マシンタイプコミュニケーション（ＭＴＣ）端末である
付記２５から付記２７のいずれかに記載の無線端末。
【００９８】
以上好ましい実施の形態をあげて本発明を説明したが、本発明は必ずしも上記実施の形態に限定されるものではなく、その技術的思想の範囲内において様々に変形し実施することが出来る。
【００９９】
本出願は、２０１５年３月２３日に出願された日本出願特願２０１５−０５９３４２号を基礎とする優先権を主張し、その開示の全てをここに取り込む。
【符号の説明】
【０１００】
１      無線端末
２      送信部
３      間欠受信制御部
４      無線通信ネットワーク
１０    ＵＥ
１１    受信器
１２    送信器
１３    信号処理部
１４    通信制御部
２０    ｅＮＢ
２１    受信器
２２    送信器
２３    信号処理部
２４    通信制御部
２５    端末管理部
３０    ネットワーク管理装置
３１    受信部
３２    送信部
３３    送信データ管理部
１００  メモリ
１０１  ＣＰＵ
２００  メモリ
２０１  ＣＰＵ
【図１】
2016152804.tif 000003
【図２】
2016152804.tif 000004
【図３】
2016152804.tif 000005
【図４】
2016152804.tif 000006
【図５】
2016152804.tif 000007
【図６】
2016152804.tif 000008
【図７】
2016152804.tif 000009
【図８】
2016152804.tif 000010
【図９】
2016152804.tif 000011
【図１０】
2016152804.tif 000012
【図１１】
2016152804.tif 000013
【図１２】
2016152804.tif 000014
【図１３】
2016152804.tif 000015
【図１４】
2016152804.tif 000016
【国際調査報告】
2016152804.tif 000017
2016152804.tif 000018
2016152804.tif 000019
2016152804.tif 000020